(57)【要約】【課題】  リニアガイドブロックの組立て調整作業およびリニアガイドレールの取付調整作業等の時間を短縮してその作業効率を向上できるホーム柵装置を得る。【解決手段】  ホーム柵２の扉３と扉を保持するリニアガイドブロック４と、リニアガイドブロック４と扉３の間に設けられたリニアガイド取付用のブラケット６とを備えたホーム柵装置において、ブラケット６にリニアガイドブロック４を取付ける際にボルト締め固定することにより生じる歪等の変形を抑制する変形抑制手段として、ブラケット６を分割し、その間に球面軸受８を設ける。【選択図】        図１
2006199196.tif 000002
【特許請求の範囲】
【請求項１】
ホーム柵の扉と扉を保持するリニアガイドブロックと、該リニアガイドブロックと上記扉の間に設けられたリニアガイド取付用のブラケットとを備えたホーム柵装置において、
上記ブラケットに上記リニアガイドブロックを取付ける際に生じる変形を抑制する変形抑制手段を備えたことを特徴とするホーム柵装置。
【請求項２】
上記変形抑制手段として、上記ブラケットを分割し、その間に球面軸受を設けたことを特徴とする請求項１記載のホーム柵装置。
【請求項３】
上記リニアガイドブロックと上記ブラケットの固定部分に隙間を持たせたことを特徴とする請求項１または２記載のホーム柵装置。
【発明の詳細な説明】
【技術分野】
【０００１】
この発明は、軌道車両の駅構内のプラットホーム上に設置され、乗降客の軌道への転落あるいは走行する車両への接触等の事故を防止するためのホーム柵装置に関するものである。
【背景技術】
【０００２】
一般に、従来のホーム柵装置においては、ホーム柵の扉と扉を保持するリニアガイドブロックの固定は、扉とブラケットおよびブラケットとリニアガイドブロックをそれぞれボルトによって堅固に取付ける構造となっている（例えば、特許文献１〜３参照）。
【０００３】
【特許文献１】特開平９−２２６５６８号公報
【特許文献２】特開平６−２３９２２４号公報
【特許文献３】特開２０００−１７７５８０号公報
【発明の開示】
【発明が解決しようとする課題】
【０００４】
しかしながら、上記のような従来装置の場合には、扉とリニアガイドブロックの固定は一体型のブラケットで堅固に取付ける構造となっているため、扉とブラケットおよびブラケットとリニアガイドブロックをボルトで締結する際にボルトの締結面の製作精度によりブラケットの締結部分がその内部応力により変形が発生し、その僅かな歪によりリニアガイドレール上をリニアガイドブロックが円滑に動かない等の不具合が発生してその調整に手間を取り、その結果、リニアガイドブロックとリニアガイドレールの取付調整作業に多大な時間を要するという問題点があった。
【０００５】
この発明は、上記のような課題を解決するためになされたもので、リニアガイドブロックの組立て調整作業およびリニアガイドレールの取付調整作業等の時間を短縮してその作業効率を向上できるホーム柵装置を提供することを目的とする。
【課題を解決するための手段】
【０００６】
この発明に係るホーム柵装置は、ホーム柵の扉と扉を保持するリニアガイドブロックと、このリニアガイドブロックと扉の間に設けられたリニアガイド取付用のブラケットとを備えたホーム柵装置において、ブラケットにリニアガイドブロックを取付ける際に生じる変形を抑制する変形抑制手段を備えたものである。
【発明の効果】
【０００７】
この発明は、締付ボルトの締結による内部応力によって発生するブラケットの変形を抑制し、リニアガイドブロックへの影響を回避してその取付調整作業の容易にして、その取付調整作業時間を短縮して、作業効率を向上できる。
【発明を実施するための最良の形態】
【０００８】
以下、この発明の一実施の形態を、図１〜図５を参照して説明する。
実施の形態１．
図１〜図３は、この発明の実施の形態１によるホーム柵装置を示すもので、図１はこの発明の実施の形態１によるホーム柵装置を示す正面図、図２はこの発明の実施の形態１によるホーム柵装置が適用されるホーム柵全体の正面図、図３はこの発明の実施の形態１によるホーム柵装置が適用されるホーム柵の側面図である。
【０００９】
図１において、この発明の実施の形態１によるホーム柵装置は、ホーム１の床面に立設されたホーム柵２の扉３を保持するリニアガイドブロック４と、このリニアガイドブロック４と扉３の間に設けられ、締付ボルト５によりリニアガイドブロック４が取付られたブラケット６と、リニアガイドブロック４の下部に設けられ、リニアガイドブロック４が滑動可能に取付けられるリニアガイドレール７と、ブラケット６にリニアガイドブロック４を締付ボルト５を用いて取付ける際に、ブラケット６を分割してその間に設けられた球面軸受８とを備える。なお、この球面軸受８は、締付ボルト５の締付によりブラケット６に生じる変形を抑制する、つまり、締付ボルト５の締付によるブラケット６の僅かな歪等を発生させないようにする変形抑制手段を実質的に構成する。
【００１０】
これにより、締付ボルト５の締結による内部応力によるブラケット６の変形が発生してもリニアガイドブロック４への影響が回避できるため、リニアガイドレール７上をリニアガイドブロック４が円滑に動くことができ、その取付調整作業が容易となる。
【００１１】
図２は、この発明の実施の形態１によるホーム柵装置が適用されるホーム柵全体を示すもので、ホーム１の床面に立設されたホーム柵２から扉３が引き出された、つまり閉じた状態を示しており、ここでは、図示せずも２組のホーム柵２および扉３の内、１組の片側部分のみが記載されている。この図２におけるホーム柵装置を側面より見た状態を図３に示す。
【００１２】
このようにして、本実施の形態では、分割したブラケット６の間に球面軸受８を設けるように構成することで、締付ボルト５の締結による内部応力によってブラケット６の変形が発生してもリニアガイドブロック４への影響が回避できるためその取付調整作業が容易となり、短時間にその取付調整作業を行うことができ、その作業効率を向上できる。
【００１３】
実施の形態２．
図４および図５は、この発明の実施の形態２によるホーム柵装置を示すもので、図４は、この発明の実施の形態２によるホーム柵装置を示す正面図、図５はこの発明の実施の形態２によるホーム柵装置におけるブラケットとリニアガイドブロックの取り付け状態を示す拡大図である。なお、図４および図５において、図１〜図３と対応する部分には同一符号を付し、その詳細説明を省略する。
本実施の形態では、図４に示すように、ブラケット６は扉３に対して締付ボルト９を用いて取付けるが、ブラケット６とリニアガイドブロック４の固定部分にリニアガイドブロック４が自在に傾くことができるようにするための隙間を持たせるものである。
【００１４】
図５は、このブラケット６とリニアガイドブロック４の固定部分を拡大して示すもので、図５に示すように、ブラケット６とリニアガイドブロック４はカラー１０を介して締付ボルト５により固定されるが、その際に、ブラケット６とリニアガイドブロック４との取付面に隙間Ｇ１を設けて内部応力が発生しないようにし、また、カラー１０と締付ボルト５が挿入される穴間にも僅かな隙間Ｇ２を持たせて残留応力が発生しないようにしている。
【００１５】
これにより、リニアガイドブロック４が自在に傾くことができるようになるため、リニアガイドレール７の取付精度に影響されなくなりリニアガイドレール７の取付調整作業が軽減できる。
【００１６】
このようにして、本実施の形態では、ブラケット６とリニアガイドブロック４との取付面に隙間を設けて内部応力が発生しないようにし、また、カラー１０と締付ボルト５が挿入される穴間にも僅かな隙間を持たせて残留応力が発生しないようにすることで、リニアガイドレール７の取付調整作業が軽減でき、その作業効率を向上できる。
【００１７】
なお、本実施の形態では、ブラケット６は、上記実施の形態１のように分割しないでそのまま用いる場合について説明したが、本実施の形態でも、上記実施の形態１と同様に分割してその間に球面軸受８を設けるようにしてもよく、同様の効果を奏する。
【図面の簡単な説明】
【００１８】
【図１】この発明の実施の形態１によるホーム柵装置を示す正面図である。
【図２】この発明の実施の形態１によるホーム柵装置が適用されるホーム柵全体の正面図である。
【図３】この発明の実施の形態１によるホーム柵装置が適用されるホーム柵の側面図である。
【図４】この発明の実施の形態２によるホーム柵装置を示す正面図である。
【図５】この発明の実施の形態２によるホーム柵装置におけるブラケットとリニアガイドブロックの取り付け状態を示す拡大図である。
【符号の説明】
【００１９】
２    ホーム柵、３    扉、４    リニアガイドブロック、５,９    締付ボルト、６    ブラケット、７    リニアガイドレール、８    球面軸受、１０    カラー、Ｇ１，Ｇ２    隙間。
【図１】
2006199196.tif 000003
【図２】
2006199196.tif 000004
【図３】
2006199196.tif 000005
【図４】
2006199196.tif 000006
【図５】
2006199196.tif 000007